【手続補正書】
【提出日】平成26年6月12日(2014.6.12)
【手続補正１】
【補正対象書類名】特許請求の範囲
【補正対象項目名】全文
【補正方法】変更
【補正の内容】
【特許請求の範囲】
【請求項１】
警戒エリアの異常を検知して異常を報知する異常報知機能を備えた警報器と、放送による緊急地震情報信号を検出して報知する地震報知機能を備えた緊急警報装置を連携させた警報システムに於いて、
前記警報器に前記地震報知機能を追加すると共に前記緊急警報装置に前記異常報知機能を追加し、
前記警報器で異常報知機能を動作した場合に前記緊急警報装置に異常報知を示すイベント信号を送って追加した異常報知機能を動作させ、
前記緊急警報装置で地震報知機能を動作した場合に前記警報器に緊急地震情報報知を示す装置イベント信号を送って追加した地震報知機能を動作させ、
前記緊急警報装置に試験スイッチを設け、
前記緊急警報装置の試験スイッチを操作した場合に、前記緊急警報装置で追加した異常報知機能を試験すると共に、前記警報器に試験を示す装置イベント信号を送って前記異常報知機能を試験させることを特徴とする警報システム。
【請求項２】
請求項１記載の警報システムに於いて、前記緊急警報装置は、
ＡＭ放送、ＦＭ放送又はテレビ放送のいずれかの放送信号を受信する放送受信部と、
緊急地震速報または異常警報を出力する報知部と、
前記警報器から送信された異常を示すイベント信号を受信する受信部と、
装置イベント信号を前記警報器に送信する送信部と、
前記放送受信部による緊急地震情報信号の受信、イベント信号の受信をはじめとする自己のイベントを検出する装置イベント検出部と、
前記装置イベント検出部で緊急地震情報信号受信を検出した場合に、前記報知部に緊急地震情報を出力させると共に前記警報器に地震報知を示す装置イベント信号を送信させる地震報知制御部と、
前記装置イベント検出部で前記警報器からの異常を示すイベント信号受信を検出した場合に前記報知部に異常警報を出力させる異常報知制御部と、
前記装置イベント検出部で前記試験スイッチの操作を検出した場合に、前記異常報知制御部により前記報知部から試験を示す異常警報を出力させると共に、前記送信部から前記警報器に試験を示す装置イベント信号を送信させる試験制御部と、
を設けたことを特徴とする警報システム。
【請求項３】
請求項１記載の警報システムに於いて、前記警報器は、
警戒エリアの物理的現象を検出して検出信号を出力するセンサ部と、
異常警報または緊急地震情報を出力する報知部と、
外部から所定の処理を指示する操作部と、
前記センサ部の検出信号出力から検知した異常の有無及び前記操作部による停止操作をはじめとする自己のイベントを検出するイベント検出部と、
前記イベント検出部で検出したイベントを示すイベント信号を送信する送信部と、
他の警報器からのイベント信号および前記緊急警報装置からの装置イベント信号を受信する受信部と、
前記イベント検出部で異常を検知した場合に、前記報知部から連動元を示す異常警報を出力させると共に、異常を示すイベント信号を他の警報器に送信させ、一方、他の警報器から異常を示すイベント信号を受信した場合に、前記報知部から連動先を示す異常警報を出力させる異常報知処理部と、
前記緊急警報装置から緊急地震情報報知を示す装置イベント信号を受信した場合に、緊急地震情報信を前記報知部から出力させる地震報知処理部と、
前記緊急警報装置から試験を示す装置イベント信号を受信した場合に、前記異常報知処理部により試験を示す異常警報を前記報知部から出力させる試験処理部と、
を設けたことを特徴とする警報システム。
【請求項４】
警戒エリアの異常を検知して異常を報知する異常報知機能を備えた警報器と、放送による緊急地震情報信号を検出して報知する地震報知機能を備えた緊急警報装置を連携させた警報システムに於いて、
前記警報器に前記地震報知機能を追加すると共に前記緊急警報装置に前記異常報知機能を追加し、
前記警報器で異常報知機能を動作した場合に前記緊急警報装置に異常報知を示すイベント信号を送って追加した異常報知機能を動作させ、
前記緊急警報装置で地震報知機能を動作した場合に前記警報器に緊急地震情報報知を示す装置イベント信号を送って追加した地震報知機能を動作させ、
前記緊急警報装置に試験スイッチを設け、
前記緊急警報装置の試験スイッチを操作した場合に、前記地震報知機能を試験すると共に、前記警報器に試験を示す装置イベント信号を送って前記地震報知機能を試験させることを特徴とする警報システム。
【請求項５】
請求項４記載の警報システムに於いて、前記緊急警報装置は、
ＡＭ放送、ＦＭ放送又はテレビ放送のいずれかの放送信号を受信する放送受信部と、
緊急地震情報または異常警報を出力する報知部と、
前記警報器から送信された異常を示すイベント信号を受信する受信部と、
装置イベント信号を前記警報器に送信する送信部と、
前記放送受信部による緊急地震情報信号の受信、イベント信号の受信をはじめとする自己のイベントを検出する装置イベント検出部と、
前記装置イベント検出部で緊急地震情報信号受信を検出した場合に、前記報知部に緊急地震情報を出力させると共に前記警報器に地震報知を示す装置イベント信号を送信させる地震報知制御部と、
前記装置イベント検出部で前記警報器からの異常を示すイベント信号受信を検出した場合に前記報知部に異常警報を出力させる異常報知制御部と、
前記装置イベント検出部で前記試験スイッチの操作を検出した場合に、前記地震報知制御部により前記報知部から試験を示す緊急地震情報を出力させると共に、前記送信部から前記警報器に試験を示す装置イベント信号を送信させる試験制御部と、
を設けたことを特徴とする警報システム。
【請求項６】
請求項４記載の警報システムに於いて、前記警報器は、
警戒エリアの物理的現象を検出して検出信号を出力するセンサ部と、
異常警報または緊急地震情報を出力する報知部と、
外部から所定の処理を指示する操作部と、
前記センサ部の検出信号出力から検知した異常の有無及び前記操作部による停止操作をはじめとする自己のイベントを検出するイベント検出部と、
前記イベント検出部で検出したイベントを示すイベント信号を送信する送信部と、
他の警報器からのイベント信号および前記緊急警報装置からの装置イベント信号を受信する受信部と、
前記イベント検出部で異常を検知した場合に、前記報知部から連動元を示す異常警報を出力させると共に、異常を示すイベント信号を他の警報器に送信させ、一方、他の警報器から異常を示すイベント信号を受信した場合に、前記報知部から連動先を示す異常警報を出力させる異常報知処理部と、
前記緊急警報装置から緊急地震情報報知を示す装置イベント信号を受信した場合に、緊急地震情報を前記報知部から出力させる地震報知処理部と、
前記緊急警報装置から試験を示す装置イベント信号を受信した場合に、前記地震報知処理部により試験を示す緊急地震情報を前記報知部から出力させる試験処理部と、
を設けたことを特徴とする警報システム。
【請求項７】
警戒エリアの異常を検知して異常を報知する異常報知機能を備えた警報器と、放送による緊急地震情報信号を検出して報知する地震報知機能を備えた緊急警報装置を連携させた警報システムに於いて、
前記警報器に前記地震報知機能を追加すると共に前記緊急警報装置に前記異常報知機能を追加し、
前記警報器で異常報知機能を動作した場合に前記緊急警報装置に異常報知を示すイベント信号を送って追加した異常報知機能を動作させ、
前記緊急警報装置で地震報知機能を動作した場合に前記警報器に緊急地震情報報知を示すイベント信号を送って追加した地震報知機能を動作させ、
前記緊急警報装置に試験スイッチを設け、
前記緊急警報装置の試験スイッチを操作した場合に、前記警報器に試験を示す装置イベント信号を送って前記異常報知機能を試験させた後に、前記警報器から前記緊急警報装置に試験応答を示すイベント信号を送って前記異常災報知機能を試験させることを特徴とする警報システム。
【請求項８】
請求項７記載の警報システムに於いて、前記緊急警報装置は、
ＡＭ放送、ＦＭ放送又はテレビ放送のいずれかの放送信号を受信する放送受信部と、
緊急地震情報または異常警報を出力する報知部と、
前記警報器から送信された異常を示すイベント信号を受信する受信部と、
装置イベント信号を前記警報器に送信する送信部と、
前記放送受信部による緊急地震情報信号の受信、イベント信号の受信をはじめとする自己のイベントを検出する装置イベント検出部と、
前記装置イベント検出部で緊急地震情報信号受信を検出した場合に、前記報知部に緊急地震情報を出力させると共に前記警報器に緊急地震情報報知を示す装置イベント信号を送信させる地震報知制御部と、
前記装置イベント検出部で前記警報器からの異常を示すイベント信号受信を検出した場合に前記報知部に異常警報を出力させる異常報知制御部と、
前記装置イベント検出部で前記試験スイッチの操作を検出した場合に、前記送信部から前記警報器に試験を示す装置イベント信号を送信し、その後に前記警報器から試験応答を示すイベント信号受信を検出した場合に、前記異常報知制御部により試験を示す異常警報を前記報知部から出力させる試験制御部と、
を設けたことを特徴とする警報システム。
【請求項９】
請求項７記載の警報システムに於いて、前記警報器は、
警戒エリアの物理的現象を検出して検出信号を出力するセンサ部と、
異常警報または緊急地震情報を出力する報知部と、
外部から所定の処理を指示する操作部と、
前記センサ部の検出信号出力から検知した異常の有無及び前記操作部による停止操作をはじめとする自己のイベントを検出するイベント検出部と、
前記イベント検出部で検出したイベントを示すイベント信号を送信する送信部と、
他の警報器からのイベント信号および前記緊急警報装置からの装置イベント信号を受信する受信部と、
前記イベント検出部で異常を検知した場合に、前記報知部から連動元を示す異常警報を出力させると共に、異常を示すイベント信号を他の警報器に送信させ、一方、他の警報器から異常を示すイベント信号を受信した場合に、前記報知部から連動先を示す異常警報を出力させる異常報知処理部と、
前記緊急警報装置から緊急地震情報報知を示す装置イベント信号を受信した場合に、緊急地震情報を前記報知部から出力させる地震報知処理部と、
前記緊急警報装置から試験を示す装置イベント信号を受信した場合に、前記異常報知処理部により試験を示す異常警報を前記報知部から出力させると共に、前記緊急警報装置に試験応答を示すイベント信号を送信する試験処理部と、
を設けたことを特徴とする警報システム。
【請求項１０】
警戒エリアの異常を検知して異常を報知する異常報知機能を備えた警報器と、放送による緊急地震情報信号を検出して報知する地震報知機能を備えた緊急警報装置を連携させた警報システムに於いて、
前記警報器に前記地震報知機能を追加すると共に前記緊急警報装置に前記異常報知機能を追加し、
前記警報器で異常報知機能を動作した場合に前記緊急警報装置に異常報知を示すイベント信号を送って追加した異常報知機能を動作させ、
前記緊急警報装置で地震報知機能を動作した場合に前記警報器に緊急地震情報報知を示すイベント信号を送って追加した地震報知機能を動作させ、
前記緊急警報装置に試験スイッチを設け、
前記緊急警報装置の試験スイッチを操作した場合に、前記警報器に試験を示す装置イベント信号を送って前記地震報知機能を試験させた後に、前記警報器から前記緊急警報装置に試験応答を示すイベント信号を送って前記地震報知機能を試験させることを特徴とする警報システム。
【請求項１１】
請求項１０記載の警報システムに於いて、前記緊急警報装置は、
ＡＭ放送、ＦＭ放送又はテレビ放送のいずれかの放送信号を受信する放送受信部と、
緊急地震情報または異常警報を出力する報知部と、
前記警報器から送信された異常を示すイベント信号を受信する受信部と、
装置イベント信号を前記警報器に送信する送信部と、
前記放送受信部による緊急地震情報信号の受信、イベント信号の受信をはじめとする自己のイベントを検出する装置イベント検出部と、
前記装置イベント検出部で緊急地震情報信号受信を検出した場合に、前記報知部に緊急地震情報を出力させると共に前記警報器に緊急地震情報報知を示す装置イベント信号を送信させる地震報知制御部と、
前記装置イベント検出部で前記警報器からの異常を示すイベント信号受信を検出した場合に前記報知部に異常警報を出力させる異常報知制御部と、
前記装置イベント検出部で前記試験スイッチの操作を検出した場合に、前記送信部から前記警報器に試験を示す装置イベント信号を送信し、その後に前記警報器から試験応答を示すイベント信号受信を検出した場合に、前記異常報知制御部により試験を示す緊急地震情報を前記報知部から出力させる試験制御部と、
を設けたことを特徴とする警報システム。
【請求項１２】
請求項１０記載の警報システムに於いて、前記警報器は、
警戒エリアの物理的現象を検出して検出信号を出力するセンサ部と、
異常警報または緊急地震情報を出力する報知部と、
外部から所定の処理を指示する操作部と、
前記センサ部の検出信号出力から検知した異常の有無及び前記操作部による停止操作をはじめとする自己のイベントを検出するイベント検出部と、
前記イベント検出部で検出したイベントを示すイベント信号を送信する送信部と、
他の警報器からのイベント信号および前記緊急警報装置からの装置イベント信号を受信する受信部と、
前記イベント検出部で異常を検知した場合に、前記報知部から連動元を示す異常警報を出力させると共に、異常を示すイベント信号を他の警報器に送信させ、一方、他の警報器から異常を示すイベント信号を受信した場合に、前記報知部から連動先を示す異常警報を出力させる異常報知処理部と、
前記緊急警報装置から緊急地震情報報知を示す装置イベント信号を受信した場合に、緊急地震情報を前記報知部から出力させる地震報知処理部と、
前記緊急警報装置から試験を示す装置イベント信号を受信した場合に、前記地震報知処理部により前記報知部から試験を示す緊急地震情報を出力させると共に、前記緊急警報装置に試験応答を示すイベント信号を送信する試験処理部と、
を設けたことを特徴とする警報システム。
【請求項１３】
請求項１、４、７又は１０の何れかに記載の警報システムに於いて、
前記緊急地震情報信号は、緊急地震速報信号と津波警報信号の少なくともいずれか一方であり、
前記緊急地震情報報知を示す装置イベント信号は、緊急地震速報報知と津波報知の少なくともいずれか一方を示す装置イベント信号であることを特徴とする警報システム。